(57)【要約】  全血試料でトロンビン生成能を簡便に測定できる血液凝固系解析装置、血液凝固系解析システム、血液凝固系解析方法を提供する。  血液に働いている抗凝固剤作用が解かれた以後から所定の時間間隔で、所定期間における特定の周波数で測定された血液の電気特性に基づいて、トロンビン生成能を解析するトロンビン生成能解析部を含む、血液凝固系解析装置。
2017130528.tif 000002
【特許請求の範囲】
【請求項１】
血液に働いている抗凝固剤作用が解かれた以後から所定の時間間隔で、所定期間における特定の周波数で測定された血液の電気特性に基づいて、トロンビン生成能を解析するトロンビン生成能解析部を含む、血液凝固系解析装置。
【請求項２】
前記トロンビン生成能解析部は、前記所定期間における特定の周波数で測定された血液の電気特性とトロンビン生成能との対応関係を分析し、対象の血液の電気特性から前記対応関係に基づいてトロンビン生成能を解析する、請求項１に記載の血液凝固系解析装置。
【請求項３】
前記トロンビン生成能解析部は、前記所定期間における特定の周波数の電気特性の波形の最大勾配（Gmax）を前記所定期間における特定の周波数の電気特性の波形の最大振幅（Amax）で除算した値Gmax/Amaxに基づいて、トロンビン生成能を解析する、請求項１に記載の血液凝固系解析装置。
【請求項４】
前記血液に、組織因子を0.5pM以上1pM以下の濃度になるように添加することが含まれる、請求項１に記載の血液凝固系解析装置。
【請求項５】
前記特定の周波数は、1kHz以上50MHz以下である、請求項１に記載の血液凝固系解析装置。
【請求項６】
一対の電極と、
前記一対の電極に対して交番電圧を所定の時間間隔で印加する印加部と、
前記一対の電極間に配される血液の電気特性を測定する測定部と、
前記血液に働いている抗凝固剤作用が解かれた以後から前記時間間隔で測定される所定期間における特定の周波数の電気特性に基づいて、トロンビン生成能を解析するトロンビン生成能解析部と、
を含む血液凝固系解析システム。
【請求項７】
前記トロンビン生成能解析部によるトロンビン生成能の解析情報を出力する出力部を更に含む、請求項６に記載の血液凝固系解析システム。
【請求項８】
前記トロンビン生成能解析部によるトロンビン生成能の解析結果が、予め定められた正常値を外れたときに警告を発する警告部を更に含む、請求項６に記載の血液凝固系解析システム。
【請求項９】
一対の電極に対して交番電圧を所定の時間間隔で印加し、
前記一対の電極間に配される血液の電気特性を測定し、
前記血液に働いている抗凝固剤作用が解かれた以後から前記時間間隔で測定される所定期間における特定の周波数の電気特性に基づいて、トロンビン生成能を解析することを含む、
血液凝固系解析方法。
【請求項１０】
一対の電極に対して交番電圧を所定の時間間隔で印加し、
前記一対の電極間に配される血液の電気特性を測定し、
前記血液に働いている抗凝固剤作用が解かれた以後から前記時間間隔で測定される所定期間における特定の周波数の電気特性から得られるデータとトロンビン生成能に関する既存の検査で取得されたデータとを比較して、前記トロンビン生成能の解析のためのパラメーターを決定する、
血液凝固系解析装置用パラメーターの決定方法 。
【発明の詳細な説明】
【技術分野】
【０００１】
本発明は、血液凝固系解析装置、血液凝固系解析システム、血液凝固系解析方法及び血液凝固系解析装置用パラメーターの決定方法に関する。
【背景技術】
【０００２】
生体内での血栓形成（凝固）及び溶解（線溶）は、複雑なカスケード反応により進行し、その反応には、凝固因子、フィブリノーゲン、フィブリン等を含む多数の分子成分、及び血管内皮細胞、血小板等の細胞成分の両方が関与する。凝固及び線溶が係る疾患や傷害の治療又は予防においては、患者の血液凝固能及び線溶能を把握するために様々な検査が行われる。それら凝固及び線溶検査は、各種凝固因子、フィブリノーゲン、Dダイマー等の凝固・線溶反応系に関与する特定分子の量を測定する定量検査と、反応系全体又はその一部の働きの程度を評価する機能検査とに大別することができる。【０００３】
凝固反応系は、組織因子と活性化凝固第VII因子の複合体形成を端緒とする機序（外因系）と、異物との接触等の原因による第XII因子の活性化を端緒とする機序（内因系）に分かれており、両者は第X因子の活性化の段階で合流する。【０００４】
なお、以下では血栓止血分野の慣習に従い、凝固因子を因子番号のローマ数字の先頭にFを付けて表記し、それが活性化されている場合は末尾にaを付すことにする。例えば、第XII因子、活性化第VII因子はそれぞれFXII、FVIIaと表記する。【０００５】
生成したFXaはプロトロンビン（FII）を活性化してトロンビン（FIIa）へと転換し、トロンビンの作用でフィブリノーゲンはフィブリンに転換される。生成したフィブリンはお互いに重合して難溶性の高分子線維となり、更にFXIIIaや血小板の作用により安定化フィブリンと呼ばれる3次元ネットワーク構造を形成する。このネットワーク構造に主として赤血球が巻き込まれた構造体が血栓である。ひとたび血栓が形成されると、凝固が亢進し過ぎるのを抑制するために線溶反応系が働き始め、止血の役割を果たし終えた血栓はやがて溶解される。【０００６】
外因系凝固能と内因系凝固能の機能検査として、それぞれプロトロンビン時間（PT）と活性化部分トロンボプラスチン時間（APTT）が広く普及している。これらの検査では、それぞれ外因系と内因系凝固反応を惹起する物質（例えば、それぞれ組織因子とエラグ酸）を大過剰に添加し、短時間で検査結果が得られるようにしている。プロトロンビン時間と活性化部分トロンボプラスチン時間の正常値は、それぞれおおよそ10秒と30〜40秒である。したがって、これらの検査は著しい凝固能の低下、すなわち出血傾向を評価するのに好適であるが、逆に著しい凝固能の亢進、すなわち血栓傾向、あるいは凝固能の微妙な変化を評価するのには適していない。【０００７】
別の機能検査として、トロンボエラストグラフィー及びトロンボエラストメトリーがあり、それぞれTEG（登録商標）5000（ヘモネティスク社）及びROTEM（登録商標）delta（ティムイノベーションズ社）として実用化されている。TEG 5000では、測定容器であるカップに全血検体を注入し、検査目的に応じた惹起物質を添加したうえで、容器の上部よりワイヤーで吊るされた棒状のピンを浸漬し、容器に対して定常的な往復角運動（典型的には10秒間で4.45°の範囲を往復する運動）を与える。凝固反応の進行に伴い検体の粘弾性が増加し、カップとピンの相対運動は小さくなり、したがってピンの回転変位は増加する。この回転変位を装置内の光学系を用いて経時的に記録することで、トロンボエラストグラムと呼ばれる波形が得られる。カップではなくピンに対して往復角運動が与えられるという違いはあるものの、ROTEM deltaも基本的に同一の原理に基づいている。上記のプロトロンビン時間や活性化部分トロンボプラスチン時間が凝固の終点検出法であるのに対して、トロンボエラストグラフィーやトロンボエラストメトリーは、凝固開始から血栓形成、更にはその後の線溶までの一連のプロセスをひとつの装置で経時的にモニタリングできるという利点がある。【０００８】
トロンボエラストグラフィーやトロンボエラストメトリーは、凝固カスケード反応の最終段階であるフィブリン生成に注目し、そのネットワーク形成（凝固）と溶解（線溶）のプロセスを検体の粘弾性を通じてモニタリングすることで、フィブリン生成に至るまでの反応系全体の働きを包括的に検査しているということができる。【０００９】
一方、フィブリン生成のひとつ前の段階であるトロンビン生成に注目して、そこに至るまでの反応系全体の働きを包括的に検査することを意図したトロンビン生成試験（TGT）も存在する。トロンビン生成試験では、プロトロンビン時間よりもはるかに少量の組織因子（例えば5 pM程度）を検体に加えて、相対的に穏やかに外因系凝固反応を惹起し、生成するトロンビン量を経時的に測定する。【００１０】
トロンビンはセリンプロテアーゼ（セリン残基を持つタンパク質分解酵素）であり、特定のアミノ酸配列を認識してペプチド結合を切断する。この性質を利用して、3〜4個のアミノ酸からなるペプチドに色素や蛍光物質を結合させた合成基質によりトロンビンを検出することができる。例えば、Z-Gly-Gly-Arg-AMCという合成基質にトロンビンが作用すると、Arg-AMC間のペプチド結合が特異的に切断され、遊離したAMCが蛍光を発することが知られている。ここで、Zはベンジルオキシカルボニル基、Argはアルギニン、Glyはグリシン、そしてAMCは7-アミノ-4-メチルクマリンを表す。合成基質法に基づくTGT（特許文献１）は、蛍光信号の補正に係る改良を加えられ（特許文献２）、校正自動トロンボグラム（CAT）装置（トロンビノスコープ社）として実用化されている。校正自動トロンボグラムはトロンビン生成試験のひとつの実施形態である。【００１１】
上記2件の特許文献では、検査対象として血漿だけでなく全血も含まれているが、合成基質の分解に伴う発色を光学的に検出するという原理から考えて、現実的には血漿検体に限定されてしまうことは容易に推測できる。赤血球の沈降（血沈）や可視光透過率の低さという全血検体特有の課題の解決法は提案されているものの（特許文献３）、臨床現場で定常的に使用可能な全血TGT装置が実用化されるには未だ至っていない。上記市販の校正自動トロンボグラム装置も少血小板血漿（PPP）もしくは多血小板血漿（PRP）を試料とする。【００１２】
従って、現在のところトロンビン生成試験を行うためには、患者から採取した血液から遠心分離法により血漿成分のみを抽出しなくてはならない。この前処理は一般的に数十分以上の時間を要する。このことは、迅速性が求められる状況での検査として用いようとする際に大きな障害となる。そのような状況の例としては、人工心肺を用いた冠動脈バイパス術のように大出血を伴い得る手術の周術期において、予期せぬ持続的な出血の原因を究明し、適切な輸血判断を行おうとする場面が挙げられる。【００１３】
また、血栓止血分野の基礎研究の成果から、凝固及び線溶カスケード反応においては、血漿中の凝固因子を始めとした様々な分子成分のみならず、血小板や赤血球のような細胞成分が大きな役割を果たしていることが明らかになっている。このような凝固及び線溶反応の描像は細胞基盤型モデル（cell-based model）と呼ばれることがある。従って、細胞成分を除去した血漿検体のトロンビン生成能は必ずしも患者の包括的な凝固病態を反映しているとはいえない。
【先行技術文献】
【特許文献】
【００１４】
【特許文献１】米国特許第5,192,689号明細書
【特許文献２】米国特許第8,551,722号明細書
【特許文献３】米国特許第8,916,356号明細書
【発明の概要】
【発明が解決しようとする課題】
【００１５】
以上の議論から、前処理を経ない全血試料に対してトロンビン生成能が簡便に測定できれば、周術期や救急救命現場のように、迅速性及び包括的凝固病態の的確な把握が求められる状況における検査としてきわめて有用であるといえる。
また、先に挙げたトロンボエラストグラフィーやトロンボエラストメトリーでは、測定容器中での血液性状の変化を粘弾性の変化として測定している。しかし、惹起物質により生成するトロンビン分子そのものを直接的に検出している校正自動トロンボグラムと同様の情報が、このような物理的性質の変化から得られるか否かは全く自明ではない。【００１６】
そこで、本願発明者らは、光を用いた計測法の適用が限られる全血試料に対しては、凝固や線溶に伴う血液性状の変化を物理的性質の変化として測定することが有効である、と想到し、鋭意研究の結果、本技術を完成させた。
【課題を解決するための手段】
【００１７】
すなわち、本技術は、血液に働いている抗凝固剤作用が解かれた以後から所定の時間間隔で、所定期間における特定の周波数で測定された血液の電気特性に基づいて、トロンビン生成能を解析するトロンビン生成能解析部を含む、血液凝固系解析装置を提供する。
前記トロンビン生成能解析部は、前記所定期間における特定の周波数で測定された血液の電気特性とトロンビン生成能との対応関係を分析し、対象の血液の電気特性から前記対応関係に基づいてトロンビン生成能を解析することができる。
また、前記トロンビン生成能解析部は、前記所定期間における特定の周波数の電気特性の波形の最大勾配（Gmax）を前記所定期間における特定の周波数の電気特性の波形の最大振幅（Amax）で除算した値Gmax/Amaxに基づいて、トロンビン生成能を解析することができる。
本技術においては、前記血液に、組織因子を0.5pM以上1pM以下の濃度になるように添加することが含まれる。
更に、前記特定の周波数は、1kHz以上50MHz以下でよい。【００１８】
また、本技術は、
一対の電極と、
前記一対の電極に対して交番電圧を所定の時間間隔で印加する印加部と、
前記一対の電極間に配される血液の電気特性を測定する測定部と、
前記血液に働いている抗凝固剤作用が解かれた以後から前記時間間隔で測定される所定期間における特定の周波数の電気特性に基づいて、トロンビン生成能を解析するトロンビン生成能解析部と、
を含む血液凝固系解析システムを提供する。
本技術に係る血液凝固系解析システムは、前記トロンビン生成能解析部によるトロンビン生成能の解析情報を出力する出力部を更に含むことができる。
また、前記トロンビン生成能解析部によるトロンビン生成能の解析結果が、予め定められた正常値を外れたときに警告を発する警告部を更に含むことができる。【００１９】
また、本技術は、
一対の電極に対して交番電圧を所定の時間間隔で印加し、
前記一対の電極間に配される血液の電気特性を測定し、
前記血液に働いている抗凝固剤作用が解かれた以後から前記時間間隔で測定される所定期間における特定の周波数の電気特性に基づいて、トロンビン生成能を解析することを含む、血液凝固系解析方法を提供する。【００２０】
更に、本技術は、
一対の電極に対して交番電圧を所定の時間間隔で印加し、
前記一対の電極間に配される血液の電気特性を測定し、
前記血液に働いている抗凝固剤作用が解かれた以後から前記時間間隔で測定される所定期間における特定の周波数の電気特性から得られるデータとトロンビン生成能に関する既存の検査で取得されたデータとを比較して、前記トロンビン生成能の解析のためのパラメーターを決定する、血液凝固系解析装置用パラメーターの決定方法を提供する。
【発明の効果】
【００２１】
本技術によれば、全血試料でトロンビン生成能を迅速に簡便に測定することができる。
なお、ここに記載された効果は必ずしも限定されるものではなく、本開示中に記載されたいずれかの効果であってもよい。
【図面の簡単な説明】
【００２２】
【図１】本技術に係る血液凝固系解析システムの構成を示す模式図である。
【図２】本技術に係る血液凝固系解析手順を示すフローチャートである。
【図３】本技術に係るトロンビン生成能を解析するための事前準備手順のフローチャートである。
【図４】本技術に係るトロンビン生成能解析を含む解析手順のフローチャートである。
【図５】本技術に係る血液凝固系解析装置によりトロンビン生成能を解析する手順のフローチャートである。
【図６】校正自動トロンボグラムから得られるトロンビン生成曲線を示すグラフである。
【図７】本技術に係る血液凝固系解析装置による血液の誘電率測定結果を示すグラフである。
【図８】本技術に係る血液凝固系解析装置による血液の誘電率測定結果を示すグラフである。
【図９】本技術に係る血液凝固系解析装によるデータと校正自動トロンボグラムによるデータとの比較を示すグラフである。
【図１０】本技術に係る血液凝固系解析装によるデータと校正自動トロンボグラムによるデータとの比較を示すグラフである。
【図１１】本技術に係る血液凝固系解析装置によるパラメーターと校正自動トロンボグラムによるパラメーターとの相関を示すグラフである。
【図１２】本技術に係る血液凝固系解析装置によるパラメーターと校正自動トロンボグラムによるパラメーターとの相関を示すグラフである。
【発明を実施するための形態】
【００２３】
以下、本技術を実施するための好適な形態について説明する。なお、以下に説明する実施形態は、本技術の代表的な実施形態を示したものであり、これにより本技術の範囲が狭く解釈されることはない。説明は以下の順序で行う。
１．血液凝固系解析装置
１−１．装置及びシステムの構成
１−２．システムの動作
２．血液凝固系解析手順
３．トロンビン生成能の解析手順
４．トロンビン生成能のパラメーターの決定
５．実施態様
５−１．血液凝固系解析手順の実施態様
５−２．トロンビン生成能と相関するパラメーターの決定
５−３．検量線と正常範囲の決定
５−４．まとめ
【００２４】
１．血液凝固系解析装置
１−１．装置及びシステムの構成
本技術に係る血液凝固系解析装置は、電気特性に基づいて解析するトロンビン生成能解析部を含む。また、これに、一対の電極と、電源と、一対の電極を印加する印加部と、血液の電気特性を測定する測定部とを備え、システムとすることができる。更に出力部と警告部とを含めることもできる。該血液凝固系解析システムの構成を図１に示す。
【００２５】
１−２．システムの動作
まず、血液が一対の電極11及び12の間に配される。血液は、例えばサンプルカートリッジに予め保持し、サンプルカートリッジを電極部分に装着することにより、電極11及び12の間に配することができる。また、血液を配するときに、抗凝固処理解除剤等を添加してもよい。その薬剤導入は、前記サンプルカートリッジに薬剤導入口を備えて行うことができる。
【００２６】
血液は、クエン酸等を抗凝固剤として用いて静脈から採血されたものを用いるのが一般的である。本技術では、電気特性の測定開始直前に塩化カルシウム水溶液等の抗凝固処理解除剤を用いて抗凝固作用を解除し、血液凝固反応が進行している状態で測定を行う。
本技術で用いる凝固反応惹起剤は、特に限定されないが、例えば組織因子が挙げられる。
【００２７】
ここで、従来行われているトロンビン生成試験（TGT）では、前述のように、例えば5pM程度の組織因子を検体に加えるが、本技術においては、例えば濃度が0.5pM〜1pMになる程度の少量の組織因子を検体に加えればよい。この濃度の範囲において、後述するトロンビン生成量と血液凝固系解析装置の測定結果との相関が特に良好であると推測される。
【００２８】
電源3は、測定を開始すべき命令を受けた時点又は電源が投入された時点を開始時点として電圧を印加する。具体的には、電源3は、設定される測定間隔ごとに、印加部2に配される電極11、12に対して、所定の周波数の交番電圧を印加する。
【００２９】
次に、測定部41は、電極11、12間における電流又はインピーダンスを所定周期で測定し、測定値から、特定の周波数の誘電率を導出する。誘電率の導出には、電流又はインピーダンスと誘電率との関係を示す既知の関数や関係式が用いられる。
【００３０】
前記誘電率は、アジレント社製のインピーダンスアナライザー（4294A）等を用いて測定することができる。前記特定の周波数は、好ましくは1kHz以上50MHz以下であり、更に好ましくは1MHz以上10MHz以下である。1MHzや10MHzの周波数の測定は、後述のトロンビン生成量（ETP）とよく相関すると推測される。
前記所定周期の測定間隔は、例えば、1分毎、測定対象の検体の温度は37℃の条件下で測定することができる。
【００３１】
誘電率のデータは、測定間隔ごとに測定部41から解析部42に与えられ、解析部42は、測定部41から与えられる誘電率データを受けて血液の凝固能判定等を開始する。解析部42は、トロンビン生成能解析部を含んでおり、該トロンビン生成能解析部は、所定期間における特定の周波数で測定された血液の電気特性とトロンビン生成能との対応関係を分析し、対象の血液の電気特性から前記対応関係に基づいてトロンビン生成能を解析する。解析部42は、トロンビン生成能の判定等の解析結果及び誘電率のデータの一方又は双方を出力部43に通知することができる。データ等は波形等のグラフに表し、波形から種々のパラメーターを導き出すことができる。
【００３２】
出力部43は、解析部42から解析結果、誘電率のデータ等を受け、これらをモニターに表示あるいは所定の媒体に印刷する。
【００３３】
また、解析部42には、トロンビン生成能等の正常値の範囲が予め組み込まれており、測定結果が正常値範囲外であったときに、その旨が出力部43に通知され、更に、異常値を示した旨が出力部43から警告部44に伝達される。
警告部44は、モニター表示、警告音、警告ランプ等の手段で警告をシステム操作者に知らせることができる。
【００３４】
２．血液凝固系解析手順
本技術で行う血液凝固系解析手順は、例えば、特許第5691168号の明細書、特許第5768422号の明細書に記載された血液凝固系解析装置を用いて実施することができる。
該装置を用いた血液凝固系解析手順を図２に示す。
【００３５】
前記明細書に記載された血液凝固系解析装置は、測定部が測定を開始すべき命令を受けるか、又は電源が投入されると、電極に、特定の周波数の交番電圧を所定の時間間隔で印加する（S101）。
【００３６】
次に、測定部は、電極に配された血液の測定間隔ごとの誘電率の測定を開始する（S102）。続いて、以下のサブルーチン（SRT、以下、血液凝固系解析ルーチンともいう）に進む。
【００３７】
血液凝固系解析ルーチン（SRT）では、まず、解析部が、所定の閾値以上となる誘電率を示す誘電率データを待ち受ける（S103）。所定の閾値以上の誘電率データを受けた場合（YES）、解析部は、血液の抗凝固作用が解かれた時点であるとして、次のステップに進む。所定の閾値未満の誘電率データを受けた場合（NO）、未だ血液の抗凝固作用が解かれていないとして測定を継続する。
【００３８】
また、解析部は、設定される解析期間の計時を開始するとともに、該解析期間が経過するまでに前記測定部から与えられる誘電率データを蓄積する（S104）。
【００３９】
次に、解析部は、例えば前記解析期間内に蓄積した誘電率データが示す誘電率に最も近似する直線を検出し、その直線の勾配をパラメーターとするなどして、血液凝固系の働きの程度を解析する（S105）。
【００４０】
なお、本技術の対象となる血液凝固系の測定・解析項目は限定されるものではなく、例えば、血液の凝固（凝血）、フィブリン形成、フィブリン塊形成、血餅形成、赤血球の連銭形成、血液の凝集、赤血球の沈降（赤沈）、血餅収縮（退縮）、溶血、線溶等が挙げられる。
以下、測定項目がトロンビン生成能である場合について説明する。
【００４１】
３．トロンビン生成能の解析手順
本技術に係るトロンビン生成能の解析手順の概略は以下のとおりである。
まず、血液の凝固及び線溶反応に伴う電気特性変化の特徴に対して、特定のデータ処理を施す。そして、該処理されたデータとトロンビン生成試験（TGT）から得られるトロンビン生成量とが良好に相関するパラメーターを得る。次に、全血試料の電気特性を測定し、該測定結果を前記パラメーターに基づいて解析し、該全血試料のトロンビン生成能を決定する。
【００４２】
更に詳細には、まず、トロンビン生成能の解析手順に先立ち、臨床研究による事前準備手順（以下に説明するStep1及びStep2）を行って（図３）、新たな追加の解析手段を設定する。
【００４３】
Step 1（S1）:
臨床研究において、多くの検体に対してトロンビン生成試験と血液凝固系解析装置の両方のデータを収集する。解析部は、両者を比較検討することにより、相関性のあるトロンビン生成試験と血液凝固系解析装置の出力パラメーターの組み合わせを少なくとも1組決定する（S1201）。また、決定したパラメーターを算出するためのアルゴリズムを血液凝固系解析装置の解析ソフトウェアに実装する（S1202）。
【００４４】
Step2（S2）:
解析部は、臨床研究のデータに基づいて、血液凝固系解析装置のパラメーターをトロンビン生成試験（TGT）のパラメーターに変換するための検量線を作成する（S1203）。また、血液凝固系解析装置とトロンビン生成試験のパラメーターの正常範囲を定義する（S1204）。検量線と正常範囲のデータは、血液凝固系解析装置の解析ソフトウェアが処理の過程で参照するデータベースとしてデータ解析ソフトウェアシステムに組み込む。
【００４５】
以上のStep1とStep2を経ることにより、新たな追加の解析手順を設定し、以下の血液凝固系解析手順（S3）の前に組み込むことができる。
【００４６】
Step3（S3）:
図４に、トロンビン生成能解析を含む解析手順を示す（S3）。
Step3では、血液凝固系解析装置で検体を測定し、解析部において血液凝固系解析を行う（S1205）。この部分は、血液凝固系測定項目で共通である。
これに加えて、解析部は、Step1を経て新たに付加したアルゴリズムによりトロンビン生成試験と相関するパラメーターを算出する（S1206）。また、解析部は、データベースを参照することで、そのパラメーターをトロンビン生成試験のパラメーターに変換し、その値が正常範囲に含まれているか、それとも異常値であるかを判定する。判定結果は、出力部によりモニターに表示、媒体に印刷される等により出力される（S1207）。
【００４７】
以上に述べたように、臨床研究による事前準備手順（S1及びS2）に基づいてトロンビン生成能の解析手順を確立できれば（S1206）、事前準備手順（S1及びS2）を繰り返す必要はなく、血液凝固系解析手順（S3）により、ルーチン的に検査を行うことができる。
【００４８】
なお、上記Step1、Step2及びStep3の一連のフローは、本技術に係るトロンビン生成能の解析に限定されない。
【００４９】
４．トロンビン生成能のパラメーターの決定
本技術では、トロンビン生成能を解析するためのパラメーターを予め解析部に設定する。
パラメーターは、例えば、所定期間における特定の周波数で測定された血液の誘電率と既存の検査で取得されたトロンビン生成能のデータとの対応関係を分析することにより得る。
【００５０】
前記既存の検査は、例えば、トロンビン生成試験、プロトロンビン時間、活性化部分トロンボプラスチン時間、トロンボエラストグラフィー及びトロンボエラストメトリーの少なくとも１つが選択される。
【００５１】
一方、前記既存の検査データとの対応関係をみるための前記誘電率のデータには、例えば、以下：
所定期間における特定の周波数の電気特性の波形の最大勾配（Gmax）、
所定期間における特定の周波数の電気特性の波形の最大勾配の時間（TGmax）、
所定期間における特定の周波数の電気特性の波形の最大振幅（Amax）、
所定期間における特定の周波数の電気特性の波形の最大振幅の時間（TAmax）、
所定期間における特定の周波数の電気特性の波形の最小勾配（Gmin）、
所定期間における特定の周波数の電気特性の波形の最小勾配の時間（TGmin）、
所定期間における特定の周波数の電気特性の波形の最小振幅（Amin）、
所定期間における特定の周波数の電気特性の波形の最小振幅の時間（TAmin）、及び
凝固開始時間（CT）
が挙げられ、これらのデータから1つを選択してもよく、複数を選択して演算を行ってもよい。
【００５２】
演算して得られるパラメーターの一例としては、前記所定期間における特定の周波数の電気特性の波形の最大勾配（Gmax）を前記所定期間における特定の周波数の電気特性の波形の最大振幅（Amax）で除算した値Gmax/Amaxが挙げられる。
【００５３】
５．実施態様
以下、実施態様の一例を説明するが、本技術はこれに限定されるものではない。
【００５４】
５−１．血液凝固系解析手順の実施態様
本技術の実施態様に係る血液凝固系解析手順は図５のフローチャートに示される。
まず、血液凝固系解析装置の一対の電極に血液を配し、該一対の電極に、特定周波数の交番電圧の印加を開始する（S201）。測定部は、所定の間隔ごとの血液の誘電率を測定する（S202）。
【００５５】
解析部は、測定された誘電率から血液凝固系の解析を開始する（S203）。解析部は、誘電率について予め定められた閾値を設定しており、閾値以上の誘電率データを受けた場合（YES）、血液の凝固作用が解かれた時点であるとして、次のステップに進む。閾値未満の誘電率データを受けた場合（NO）は、血液の凝固作用が解かれていないとして、誘電率の測定を継続する。
【００５６】
血液の凝固作用が解かれた時点から、解析部は、設定される解析期間の経時を開始するとともに、該解析期間が経過するまでに前記測定部から与えられる誘電率データを蓄積する（S204）。
【００５７】
解析部は、解析期間内に蓄積した誘電率データが示す誘電率に最も近似する直線を検出し、その直線の勾配等をパラメーターとするなどして、血液凝固系の働きの程度を解析する（S205）。
【００５８】
次に、解析部は、得られた勾配等のパラメーターと予め取得しておいたトロンビン生成能のデータベースとを比較し、良好に相関するパラメーターを算出する（S206）。
【００５９】
また、解析部は、算出されたパラメーターから、トロンビン生成能のパラメーターに変換するための検量線を作成する（S207）。また、トロンビン生成能のデータベースを参照して、トロンビン生成能の正常範囲を参照する。
【００６０】
更に、解析部は、作成した検量線からトロンビン生成能のパラメーターを算出する（S208）。該パラメーターで解析対象の血液における誘電率のデータを処理し、トロンビン生成能を判定する。出力部は、判定結果を印字やディスプレイ等で表示する（S209）。
【００６１】
また、解析部は、判定結果が予め定められたトロンビン生成能の正常値の範囲内にあるかが判断される（S210）。正常値の範囲内であれば（YES）、解析対象の血液の測定及び判定は終了し、正常値の範囲外であれば（NO）、警告部がこれを知らせる。
【００６２】
５−２．トロンビン生成能と相関するパラメーターの決定
心臓血管外科手術を施行される患者のうち、臨床研究への参加にあたり十分な説明を受けた後、十分な理解の上、患者本人の自由意志による文書同意が得られた20歳以上の患者を対象とした臨床研究を実施した。体重が20 kg未満の患者、治療を要する血液学的異常のある患者、お及び血行動態の不安定さ等の理由によって少量の採血も患者に不利益をもたらすと考えられる患者は除外した。
【００６３】
麻酔導入時、人工心肺終了直後、集中治療室（ICU）入室時、術後1週間後、術後1か月後、術後3か月後、及び術後6か月後の時期においてそれぞれ、患者から血液約12 mLを採取した。手術侵襲、人工心肺、抗凝固剤、抗血小板剤の投与、輸血治療等による全血凝固能の変化や血小板機能の変化について、参考のため従来の検査方法でデータを取得しておいた。余剰の血液は遠心分離法により血漿成分と細胞成分に分離し、前者は-80℃の冷凍庫で保存した。
【００６４】
冷凍保存した血漿検体がある程度の数量貯まった時点で、それらを解凍し、多項目血液凝固分析装置であるALC TOP（インストゥルメンテーション ラボラトリー社）を用いて、PT、APTT、FII、FV、FVIII、FIX、FX、FXI、FXII、FXIII、フィブリノーゲン等の凝固検査項目を測定した。また、校正自動トロンボグラム（CAT）装置（トロンビノスコープ社）での測定も行った。
【００６５】
校正自動トロンボグラム測定では、全血の遠心分離により得られた少血小板血漿（PPP）を検体とした。製造元から提供される取扱説明書にしたがって蛍光強度に係る校正を行った後、製造元から提供されるPPP-Reagentを用いて検体の測定を行った。PPP-Reagent は、採血管に含まれるクエン酸による抗凝固作用を解除するためのカルシウム、外因系凝固反応を惹起する組織因子及びリン脂質から構成されており、製造元から公開されていないが、PPP-Reagentの組織因子濃度はおおよそ5pMであると推測される（H. C. Hemker et al., Current Opinion in Hematology 11(3), 170-175 (2004).）。校正自動トロンボグラムから得られるトロンビン生成の時間依存曲線はトロンボグラムと呼ばれる。トロンボグラムは主に6個のパラメーターによって特徴づけられる（図６）。
トロンボグラムの各パラメーターは、以下の表１により説明される。
【００６６】
【表１】
2017130528.tif 000003
【００６７】
本技術に係る血液凝固系解析装置を用いた測定では、校正自動トロンボグラムのパラメーターと相関するパラメーターを探索するために、100 Hzから40 MHzまでの広い範囲内で57個の周波数点における複素誘電率を、測定開始直後から60分後まで1分間隔で測定した。校正自動トロンボグラムと同様に血液凝固系解析装置でも組織因子を惹起物質とし、濃度ゼロ（組織因子の添加なし）も含めた様々な濃度で検討を行った。PPP-Reagentと同様にカルシウム、組織因子、及びリン脂質を含む、本技術に係る血液凝固解析装置でのアッセイを「EXテスト」と呼ぶ。校正自動トロンボグラム測定が血小板の寄与が極めて小さい少血小板血漿（PPP）に対して行われたことから、EXテストの試薬にさらに血小板機能を抑制する試薬を加えたアッセイ（「PIテスト」と呼ぶ）も同時に測定した。血小板機能抑制試薬としてサイトカラシンDを用いたが、アブシキマブ（商品名ReoPro（登録商標）、イーライリリー社）等を用いることもできる。
【００６８】
臨床研究における多くの検体に対して、本技術に係る血液凝固系解析装置と校正自動トロンボグラムのデータを詳細に比較検討したところ、EXテストとPIテストの両方とも、組織因子濃度がおおよそ5pM以下の範囲内において、校正自動トロンボグラム（CAT）の内因性トロンビン生成量（ETP）、ピーク高さ、あるいは速度指数と相関する血液凝固系解析装置のパラメーターを見出すことが可能であることがわかった。その相関は特に組織因子濃度がおおよそ0.5pMから1pMの範囲で最大になると推定された。同じパラメーターの組み合わせで比べた場合、PIテストの方がEXテストよりもやや相関係数が大きい傾向があった。これは比較対象である校正自動トロンボグラムが少血小板血漿に対して測定されていることによるものと考えられるが、必ずしもEXテストが使えないということではない。校正自動トロンボグラム（CAT）では、予め試料として少血小板血漿（PPP）か多血小板血漿（PRP）のどちらかを選択する必要があるのに対して、本技術に係る血液凝固系解析装置では、全血試料に対して、血小板の寄与を含んだトロンビン生成能をEXテストで、また血小板の寄与を抑制したトロンビン生成能をPIテストで測定することができる。
【００６９】
校正自動トロンボグラムのパラメーターと相関する血液凝固系解析装置のパラメーターとしては多くの可能性が考えられ、本技術では、特定のパラメーターの選択に限定されない。血液凝固系解析装置の原理研究から、1MHz及び10MHzにおける誘電率実部の時間変化波形を用いることにより、凝固及び線溶反応のプロセスを有効にモニタリングできることが示されている（Y. Hayashi et al., Analytical Chemistry 87(19), 10072-10079 (2015)）。そこで特に1MHz及び10MHzの波形に着目して校正自動トロンボグラムと相関するパラメーターを探索した（図７、図８）。
【００７０】
図７は、本技術に係る血液凝固系解析装置の10MHzおける典型的な波形（実線（61））と1次微分波形（点線（62））を示す。フィブリンネットワークが形成され始める時間を凝固開始時間CT（64）とする。CTの後で波形は増加し始め、勾配が最大になる点（時間TGmax（65））を経て振幅が最大になる（時間TAmax（63））。最大勾配時間TGmax（65）は1次微分波形が極大になる点として決定される。
【００７１】
図８は、本技術に係る血液凝固系解析装置の1MHzにおける典型的な波形（実線（71））と1次微分波形（点線（72））を示す。波形は時間ゼロから増加を続け、最大振幅（時間TAmax（74））を経て減少に転じ、勾配が最少になる点（時間TGmin（75））を経て減少速度が緩やかになり、やがて安定する。最大勾配時間TGmin（75）は1次微分波形が極小になる点として決定される。
【００７２】
ここで、例えば、10MHz波形の最大勾配Gmaxを最大振幅Amaxで割った値Gmax/Amaxを規格化勾配と定義する。周術期における麻酔導入時、人工心肺終了直後、ICU入室時、および術後1週間後の採血タイミングをそれぞれA、B、C、及びDとすると、AからDまでの規格化勾配の変化は、同じ患者の内因性トロンビン生成能の変化ときわめてよく相関することが分かった（図９、図１０）。
【００７３】
図９は、心臓手術患者に対する周術期における、校正自動トロンボグラム（CAT）の内因性トロンビン生成能（ETP、●）及び本技術に係る血液凝固系解析装置の規格化勾配（Gmax/Amax、■）の変化の代表例を示す。B点（人工心肺終了直後）とC点（ICU入室時）に包括凝固能が低下する例（上）、およびC点のみで低下する例（下）が他にも見られた。いずれの例でも内因性トロンビン生成能と規格化勾配は類似した変化を示した。
【００７４】
図１０も、心臓手術患者に対する周術期における、校正自動トロンボグラム（CAT）の内因性トロンビン生成能（ETP、●）及び本技術に係る血液凝固系解析装置の規格化勾配（Gmax/Amax、■）の変化の代表例を示す。周術期の4測定点A〜Dにわたり包括凝固能が比較的健全に維持されていると考えられる例（上）、およびD点で低下する例（下）が他にも見られた。いずれの例でも内因性トロンビン生成能ETPと規格化勾配は類似した変化を示した。
【００７５】
また、10MHz波形の規格化勾配（Gmax/Amax）と内因性トロンビン生成能の組み合わせ以外にも、10MHz波形の平均勾配Amax/ΔT、10 MHz波形の最大勾配時間の逆数1/TGmax、1 MHz波形の最小勾配時間の逆数 1/TGmin、及び1MHz波形の最大振幅時間の逆数 1/TAmaxが、それぞれ校正自動トロンボグラムのピーク高さと相関することが分かった（図１１、図１２）。
【００７６】
図１１は、校正自動トロンボグラム（CAT）パラメーターのピーク高さ（横軸）と本技術に係る血液凝固系解析装置の10MHz波形の最大勾配時間の逆数との相関を示す。周術期の4測定点A〜Dのデータは異なる記号（○、×、△、＋）で表し、全データを最小二乗法でフィッティングした直線も表示した。
【００７７】
図１２は、校正自動トロンボグラム（CAT）パラメーターのピーク高さ（横軸）と本技術に係る血液凝固系解析装置の1MHz波形の最大振幅時間の逆数との相関を示す。周術期の4測定点A〜Dのデータは異なる記号（○、×、△、＋）で表し、全データを最小二乗法でフィッティングした直線も表示した。
【００７８】
５−３．検量線と正常範囲の決定
検量線の必要性は、本技術に係る血液凝固系解析装置を用いるユーザーのニーズによる。校正自動トロンボグラムの内因性トロンビン生成能やピーク高さと同じ形で値を得たいのであれば、血液凝固系解析装置のパラメーターをそれらに換算するための検量線が必要である。一方、例えば周術期において、患者のトロンビン生成能と相関して変動する相対的なパラメーターが得られれば十分であれば、検量線を作成する必要はない。
【００７９】
検量線の最も単純な作成方法は、前記図１１及び図１２に示すように、校正自動トロンボグラム（CAT）と本技術に係る血液凝固系解析装置のパラメーターの散乱図に対して最小二乗法により近似直線を得る方法である。これらの例では直線により比較的良好にデータをフィッティングできているが、両者の関係がより複雑であれば、それに応じた適切な関数を用いてフィッティングすればよい。また、校正自動トロンボグラムのパラメーターの範囲によって異なる関係性が見られる場合は、その範囲ごとに適切な方法でフィッティングを行えばよい。
【００８０】
また、校正自動トロンボグラムのパラメーターの正常範囲として参照することができる先行文献などがある場合は、それを利用することができる。参照できるデータが無い場合、あるいは独自のデータを用いたい場合、臨床研究において患者群とは別に健常者から成るコントロール群を設定し、統計的に十分な数のデータを取得し、そのデータから正常範囲を決定する。校正自動トロンボグラムのパラメーターに換算せず相対値を用いる場合は、検量線を用いて、校正自動トロンボグラムのパラメーターの正常範囲を対応する本技術に係る血液凝固系解析装置のパラメーターの正常範囲に変換する。もし独自のデータを用いるのであれば、本技術に係る血液凝固系解析装置のパラメーターの正常範囲を直接決定することもできる。
【００８１】
上記のようにして決定された検量線と正常範囲は、前述のStep 3の血液凝固系解析手順において、本発明により新たに追加される解析手順の中で参照できるように、データベースとしてデータ解析ソフトウェアシステムから参照される。
【００８２】
５−４．まとめ
本技術は、臨床研究により得られた新たな知見に基づき、例えばトロンビン生成能を取り上げ、そのパラメーターを明示的に出力するための新たな解析手順を加えるものである。解析期間の計時を開始するとともに、測定値を蓄積するところまで、種々の血液凝固系測定項目の解析手順と共通にすることができる。そして、測定値が蓄積されると、前述のStep 1で特定した新たなパラメーターを算出し、前述のStep 2で作成された検量線および正常範囲のデータベースを参照し、トロンビン生成能に係るパラメーターを算出し、その値が正常範囲に収まっているか、あるいは異常値であるかを判定することができる。
【００８３】
本技術に係るトロンビン生成の解析手順を用いれば、全血検体から、簡便かつ迅速にトロンビン生成能に関する知見を得ることができる。これにより、例えば周術期や救急救命といった迅速性を要求される臨床現場においても、患者の包括的凝固病態をトロンビン生成能として把握することができる。その結果、例えば輸血や抗凝固剤投与といった血栓止血治療がエビデンスに基づいて行われるようになり、治療の予後が向上する。また、輸血量が削減され、輸血に伴う合併症の減少、あるいは医療コストの低減が実現される。
【００８４】
また、血液凝固系解析装置の本体やアッセイを変更することなく、データ解析ソフトウェアシステムの一部を変更するだけで、従来の解析手順によって得られる血液凝固系の働きの程度に関する情報に加えて、トロンビン生成能に関する情報を得られるようになる。新たに校正自動トロンボグラム装置等のトロンビン生成試験装置を導入する必要がないので、臨床検査装置導入コストの低減、装置設置スペースの節約、あるいは臨床現場での労力低減などが実現される。
【００８５】
なお、本技術は、以下のような構成も採ることができる。
〔１〕  血液に働いている抗凝固剤作用が解かれた以後から所定の時間間隔で、所定期間における特定の周波数で測定された血液の電気特性に基づいて、トロンビン生成能を解析するトロンビン生成能解析部を含む、血液凝固系解析装置。
〔２〕  前記トロンビン生成能解析部は、前記所定期間における特定の周波数で測定された血液の電気特性とトロンビン生成能との対応関係を分析し、対象の血液の電気特性から前記対応関係に基づいてトロンビン生成能を解析する、請求項１に記載の血液凝固系解析装置。
〔３〕  前記トロンビン生成能解析部は、前記所定期間における特定の周波数の電気特性の波形の最大勾配（Gmax）を前記所定期間における特定の周波数の電気特性の波形の最大振幅（Amax）で除算した値Gmax/Amaxに基づいて、トロンビン生成能を解析する、前記〔１〕又は〔２〕に記載の血液凝固系解析装置。
〔４〕  前記血液に、組織因子を0.5pM以上1pM以下の濃度になるように添加することが含まれる、前記〔１〕〜〔３〕のいずれかに記載の血液凝固系解析装置。
〔５〕  前記特定の周波数は、1kHz以上50MHz以下である、前記〔１〕〜〔４〕のいずれかに記載の血液凝固系解析装置。
〔６〕  一対の電極と、
前記一対の電極に対して交番電圧を所定の時間間隔で印加する印加部と、
前記一対の電極間に配される血液の電気特性を測定する測定部と、
前記血液に働いている抗凝固剤作用が解かれた以後から前記時間間隔で測定される所定期間における特定の周波数の電気特性に基づいて、トロンビン生成能を解析するトロンビン生成能解析部と、
を含む血液凝固系解析システム。
〔７〕  前記トロンビン生成能解析部によるトロンビン生成能の解析情報を出力する出力部を更に含む、前記〔６〕に記載の血液凝固系解析システム。
〔８〕  前記トロンビン生成能解析部によるトロンビン生成能の解析結果が、予め定められた正常値を外れたときに警告を発する警告部を更に含む、前記〔７〕又は〔８〕に記載の血液凝固系解析システム。
〔９〕  一対の電極に対して交番電圧を所定の時間間隔で印加し、
前記一対の電極間に配される血液の電気特性を測定し、
前記血液に働いている抗凝固剤作用が解かれた以後から前記時間間隔で測定される所定期間における特定の周波数の電気特性に基づいて、トロンビン生成能を解析することを含む、
血液凝固系解析方法。
〔１０〕  一対の電極に対して交番電圧を所定の時間間隔で印加し、
前記一対の電極間に配される血液の電気特性を測定し、
前記血液に働いている抗凝固剤作用が解かれた以後から前記時間間隔で測定される所定期間における特定の周波数の電気特性から得られるデータとトロンビン生成能に関する既存の検査で取得されたデータとを比較して、前記トロンビン生成能の解析のためのパラメーターを決定する、
血液凝固系解析装置用パラメーターの決定方法。
【符号の説明】
【００８６】
２            印加部
３            電源
１１、１２    電極
４１          測定部
４２          解析部
４３          出力部
４４          警告部
５１          遅延時間
５２          ピーク時間
５３          終了時間
５４          ピーク高さ
５５          内因性トロンビン生成能
５６          速度指数
【図１】
2017130528.tif 000004
【図２】
2017130528.tif 000005
【図３】
2017130528.tif 000006
【図４】
2017130528.tif 000007
【図５】
2017130528.tif 000008
【図６】
2017130528.tif 000009
【図７】
2017130528.tif 000010
【図８】
2017130528.tif 000011
【図９】
2017130528.tif 000012
【図１０】
2017130528.tif 000013
【図１１】
2017130528.tif 000014
【図１２】
2017130528.tif 000015
【国際調査報告】
2017130528.tif 000016
2017130528.tif 000017
2017130528.tif 000018
2017130528.tif 000019